(57)【特許請求の範囲】
【請求項１】
ケーシングと、前記ケーシング内に収容された画像プロセッサーと、前記画像プロセッサーに電気的に接続された画像センサーと、前記画像センサーに設けられたレンズモジュールとを含むアレイ式レンズモジュールであって、
前記レンズモジュールは、少なくとも二枚のガラスレンズを積層することにより形成され、
前記レンズモジュールに、第１のレンズと、前記第１のレンズと一定の距離を隔てて設けられた第２のレンズが成形されており、
前記画像センサーは感光領域を有し、前記第１のレンズは第１の結像領域を有し、前記第２のレンズは第２の結像領域を有し、前記第１の結像領域と前記第２の結像領域は、少なくとも部分的には前記感光領域内に入っており、前記画像センサーは、前記感光領域内の前記第１の結像領域及び前記第２の結像領域に基づいた計算により、前記第１のレンズ及び前記第２のレンズの中心点の座標を取得し、前記中心点の座標を前記画像センサーの記憶領域内に記録し、前記中心点の座標に基づき、画像をキャプチャし、前記画像プロセッサーはそれぞれ前記第１の結像領域及び前記第２の結像領域に一定のアスペクト比で第１の画像領域及び第２の画像領域をキャプチャし、前記第１の画像領域内における画像及び前記第２の画像領域内における画像は視差が存在する、ことを特徴とするアレイ式レンズモジュール。
【請求項２】
前記感光領域は、対向して平行に設けられた二つの第１の側辺と、前記二つの第１の側辺に接続された第２の側辺とを有し、前記第１の画像領域と前記第２の画像領域との幾何学的中心の連結線は、前記第１の側辺に平行する、ことを特徴とする請求項１に記載のアレイ式レンズモジュール。
【請求項３】
前記感光領域は、対向して平行に設けられた二つの第１の側辺と、前記二つの第１の側辺に接続された第２の側辺とを有し、前記第１の画像領域と前記第２の画像領域との幾何学的中心の連結線は、前記第２の側辺に平行する、ことを特徴とする請求項１に記載のアレイ式レンズモジュール。
【請求項４】
前記感光領域は矩形をなしており、前記第１の画像領域と前記第２の画像領域はいずれも円形をなしている、ことを特徴とする請求項２又は３に記載のアレイ式レンズモジュール。
【請求項５】
前記第１の画像領域と前記第２の画像領域は、それぞれ前記感光領域の対角位置に位置する、ことを特徴とする請求項４に記載のアレイ式レンズモジュール。
【請求項６】
前記第１の画像領域又は第２の画像領域の、前記画像センサーにおける対応する領域はモノクロ感光領域である、ことを特徴とする請求項４に記載のアレイ式レンズモジュール。
【請求項７】
前記第２のレンズと前記画像センサーとの間、又は前記第１のレンズと前記画像センサーとの間に、さらに赤外フィルタが設けられている、ことを特徴とする請求項６に記載のアレイ式レンズモジュール。
【請求項８】
前記ケーシングにおける、前記第１のレンズ及び前記第２のレンズに対応する位置に、それぞれ第１の通光孔及び第２の通光孔が開設されている、ことを特徴とする請求項１に記載のアレイ式レンズモジュール。
【請求項９】
それぞれの前記ガラスレンズの表面に反射低減霧防止塗層が塗布されており、前記反射低減霧防止塗層は、少なくとも前記第１のレンズと前記第２のレンズを被覆している、ことを特徴とする請求項１に記載のアレイ式レンズモジュール。
【請求項１０】
それぞれの前記ガラスレンズにいずれも、第１の光学レンズと、前記第１の光学レンズと間隔を隔てて設けられた第２の光学レンズとが形成されており、
いずれの二枚の前記ガラスレンズにおける前記第１の光学レンズと前記第２の光学レンズの位置は、それぞれ対応しており、
前記第１のレンズは全ての前記第１の光学レンズを積層することにより形成され、且つ全ての前記第１の光学レンズの光学中心は互いにアライメントされ、
前記第２のレンズは全ての前記第２の光学レンズを積層することにより形成され、且つ全ての前記第２の光学レンズの光学中心は互いにアライメントされていること、を特徴とする請求項１に記載のアレイ式レンズモジュール。
【発明の詳細な説明】
【技術分野】
【０００１】
本発明はレンズモジュールに関し、特にモバイル電子デバイス用のレンズモジュールに関する。
【背景技術】
【０００２】
科学技術が絶えずに発展しているに伴い、電子デバイスは、絶えずにスマート化へ進化していく。デジタルカメラのほかに、携帯式電子デバイス、例えばタブレットＰＣ、携帯電話などにはレンズモジュールが配置されている。人々のニーズを満足するために、レンズモジュールにより撮影された物体の画像品質に対してもより高く求められている。これだけではなく、３Ｄ結像技術の発展に伴い、これらのモバイル電子デバイスに裸眼３Ｄ撮像レンズが配置されることも発展のトレンドになっている。
【０００３】
従来技術における３Ｄレンズモジュールは、一定の被写界深度を有する写真を撮るように、２組のレンズモジュールを用いて人の目の結像機能を真似る。２組のレンズモジュールは、いずれも、光透過孔が開設されたレンズ鏡筒と、レンズ鏡筒内に設けられたレンズ群とを含み、レンズ群は少なくとも二枚の光学レンズを含む。光透過孔の幾何学的中心を通る直線がこれらの光学レンズの光軸と重なり合う必要があり、即ち、高い同軸度を有すると確保することが必要である。しかしながら、光学レンズ間の偏心は敏感ですので、高い同軸度及び安定性を確保することが難しい。２組のレンズモジュールは別々に組み立てられ、それぞれ各自のレンズ鏡筒を有するため、組み立てられるとき、レンズ鏡筒の公差の影響を受け、組み立ての精度を確保することができない。
【０００４】
したがって、新型のレンズモジュールを提供する必要がある。
【発明の概要】
【発明が解決しようとする課題】
【０００５】
本発明は、解像度が高く、製造コストが低く、且つ実装が簡単なアレイ式レンズモジュールを提供することを目的とする。
【課題を解決するための手段】
【０００６】
本発明に係る技術方案は以下のとおりである。アレイ式レンズモジュールであって、ケーシングと、前記ケーシング内に収容された画像プロセッサーと、前記画像プロセッサーに電気的に接続された画像センサーと、前記画像センサー上に設けられたレンズモジュールとを含み、前記レンズモジュールは、少なくとも二枚のガラスレンズを積層することにより形成され、前記レンズモジュールに、第１のレンズと、前記第１のレンズと一定の距離を隔てて設けられた第２のレンズとが成形されている。
【０００７】
前記画像センサーは感光領域を有し、前記第１のレンズは第１の結像領域を有し、前記第２のレンズは第２の結像領域を有し、前記第１の結像領域と前記第２の結像領域は、少なくとも部分的には前記感光領域内に入っており、前記画像センサーは、前記感光領域内の前記第１の結像領域及び前記第２の結像領域に基づいた計算により、前記第１のレンズ及び前記第２のレンズの中心点の座標を取得し、前記中心点の座標を前記画像センサーの記憶領域内に記録し、前記中心点の座標に基づき、画像をキャプチャし、前記画像プロセッサーはそれぞれ前記第１の結像領域及び前記第２の結像領域に一定のアスペクト比で第１の画像領域及び第２の画像領域をキャプチャし、前記第１の画像領域内における画像及び前記第２の画像領域内における画像は、視差が存在する。
【０００８】
好ましくは、前記感光領域は、対向し、平行に設けられた二つの第１の側辺と、前記二つの第１の側辺に接続された第２の側辺とを有し、前記第１の画像領域と前記第２の画像領域との幾何学的中心の連結線は、前記第１の側辺に平行する。
【０００９】
好ましくは、前記感光領域は、対向し、平行に設けられた二つの第１の側辺と、前記二つの第１の側辺に接続された第２の側辺とを有し、前記第１の画像領域と前記第２の画像領域との幾何学的中心の連結線は、前記第２の側辺に平行する。
【００１０】
好ましくは、前記感光領域は矩形をなしており、前記第１の画像領域と前記第２の画像領域はいずれも円形をなしている。
【００１１】
好ましくは、前記第１の画像領域と前記第２の画像領域は、それぞれ前記感光領域の対角位置に位置する。
【００１２】
好ましくは、前記第１の画像領域又は第２の画像領域の、前記画像センサーにおける対応する領域はモノクロ感光領域である。
【００１３】
好ましくは、前記第２のレンズと前記画像センサーとの間、又は前記第１のレンズと前記画像センサーとの間に、さらに赤外フィルタが設けられている。
【００１４】
好ましくは、前記ケーシングにおける、前記第１のレンズ及び前記第２のレンズに対応する位置に、それぞれ第１の通光孔及び第２の通光孔が開設されている。
【００１５】
好ましくは、それぞれの前記ガラスレンズの表面に反射低減霧防止塗層が塗布されており、前記反射低減霧防止塗層は、少なくとも前記第１のレンズと前記第２のレンズを被覆している。
【００１６】
好ましくは、それぞれの前記ガラスレンズにいずれも、第１の光学レンズと、前記第１の光学レンズと間隔を隔てて設けられた第２の光学レンズとが形成されており、いずれの二枚の前記ガラスレンズにおける前記第１の光学レンズと前記第２の光学レンズの位置は、それぞれ対応しており、前記第１のレンズは全ての前記第１の光学レンズを積層することにより形成され、且つ全ての前記第１の光学レンズの光学中心は互いにアライメントされ、前記第２のレンズは全ての前記第２の光学レンズを積層することにより形成され、且つ全ての前記第２の光学レンズの光学中心は互いにアライメントされている。 
【発明の効果】
【００１７】
本発明が有する有益な効果は以下のとおりである。レンズモジュールは、積層されたガラス基板から切断され、得たものであるため、第１のレンズと第２のレンズとの距離は既に確定されている。したがって、組み立ての精度は高く、加工コストが低い。且つ、レンズモジュールは全ガラス構成であり、高い光線透過率及び優れた色収差消しのパフォーマンスを有する。
【図面の簡単な説明】
【００１８】
【図１】本発明に係るアレイ式レンズモジュールの構成を示す模式図である。
【図２】本発明に係るアレイ式レンズモジュールにおけるレンズモジュールの構成を示す模式図である。
【図３】本発明に係るアレイ式レンズモジュールにおける第１のガラスレンズの構成を示す模式図である。
【図４】本発明に係るアレイ式レンズモジュールにおける第２のガラスレンズの構成を示す模式図である。
【図５】本発明に係るアレイ式レンズモジュールの３Ｄ結像の原理図である。
【図６】本発明に係るアレイ式レンズモジュールにおける感光領域、第１の画像領域及び第２の画像領域の一つの位置関係を示す図である。
【図７】本発明に係るアレイ式レンズモジュールにおける感光領域、第１の画像領域及び第２の画像領域のもう一つの位置関係を示す図である。
【図８】本発明に係るアレイ式レンズモジュールにおける感光領域、第１の画像領域及び第２の画像領域のさらにもう一つの位置関係を示す図である。
【図９】本発明に係るアレイ式レンズモジュールにおける第１のレンズと第２のレンズの中心点を確定する原理図である。
【図１０】本発明に係るアレイ式レンズモジュールの製造フローを示す図である。
【発明を実施するための形態】
【００１９】
以下、図面と実施形態を参照しながら、本発明についてさらに説明する。
【００２０】
図１及び図２に示すように、アレイ式レンズモジュール１００は、ケーシング１０１と、ケーシング１０１に収容された画像プロセッサーと、画像プロセッサーに電気的に接続された画像センサーと、画像センサーに設けられたレンズモジュール２００とを含む。ケーシング１０１は、間隔を隔てて設けられた第１の通光孔１０２と第２の通光孔１０３とを有する。
【００２１】
本実施例においては、レンズモジュール２００は、二つのガラスレンズを積層することにより形成されたガラスレンズ群と、ガラスレンズ群に形成された第１のレンズ２０３及び第２のレンズ２０４（図２の点線のフレーム内における部分に示すように）とを有する。第１のレンズ２０３及び第２のレンズ２０４は、一定の視差を有する画像を撮るように、それぞれ人の左の目及び右の目の結像機能を真似るためのものである。説明が便利なために、二つのガラスレンズをそれぞれ第１のガラスレンズ２０１と第２のガラスレンズ２０２とする。
【００２２】
第１のガラスレンズ２０１は、第１の光学レンズ２０３Ａと、第１の光学レンズ２０３Ａと間隔を隔てて設けられた第２の光学レンズ２０４Ａとを有する。図３に示すように、第１のガラスレンズ２０１は、第１の表面２０１Ａと、第１の表面２０１Ａと対向し、設けられた第２の表面２０１Ｂとを有する。第１の光学レンズ２０３Ａは、第１の表面２０１Ａに設けられた第１の光学面２０１ａと、第２の表面２０１Ｂに設けられた第２の光学面２０１ｂとを有し、且つ、第２の光学面２０１ｂは第１の光学面２０１ａと位置が対応しており、これは、第２の光学面２０１ｂの光学中心と第１の光学面２０１ａの光学中心とはアライメントされていることを意味する。第２の光学レンズ２０４Ａは、第１の表面２０１Ａに設けられた第３の光学面２０１ｃと、第２の表面２０１Ｂに設けられた第４の光学面２０１ｄとを含み、且つ、第４の光学面２０１ｄは第３の光学面２０１ｃと位置が対応しており、これは、同様に、第４の光学面２０１ｄの光学中心と第３の光学面２０１ｃの光学中心とアライメントされていることを意味する。
【００２３】
同様に、第２のガラスレンズ２０２は、第１の光学レンズ２０３Ｂと、第１の光学レンズ２０３Ｂと間隔を隔てて設けられた第２の光学レンズ２０４Ｂとを有する。第１の光学レンズ２０３Ｂ及び第２の光学レンズ２０４Ｂは、前記第１の光学レンズ２０３Ａ及び第２の光学レンズ２０４Ａとは、それぞれ位置が対応している。図４に示すように、第２のガラスレンズ２０２は、第１の表面２０２Ａと、第１の表面２０２Ａと対向し設けられた第２の表面２０２Ｂとを有する。第１の光学レンズ２０３Ｂは、第１の表面２０２Ａに設けられた第１の光学面２０２ａと、第２の表面２０２Ｂに設けられた第２の光学面２０２ｂとを有し、第２の光学面２０２ｂと第１の光学面２０２ａと位置が対応しており、両者の光学中心はアライメントされている。第２の光学レンズ２０４Ｂは、第１の表面２０２Ａに設けられた第３の光学面２０２ｃと、第２の表面２０２Ｂに設けられる第４の光学面２０２ｄとを有する。第４の光学面２０２ｄと第３の光学面２０２ｃと位置が対応しており、両者の光学中心はアライメントされている。
【００２４】
第１のレンズ２０３は、第１のガラスレンズ２０１における第１の光学レンズ２０３Ａと、第２のガラスレンズ２０２における第１の光学レンズ２０３Ｂを組み合わせることにより形成される。第１の光学レンズ２０３Ａと第１の光学レンズ２０３Ｂとの間には、通常隙間が存在しており、当該隙間は、遮光シートなどの光学素子を配置するためのものである。第２のレンズ２０４は、第１のガラスレンズ２０１における第２の光学レンズ２０４Ａと、第２のガラスレンズ２０２における第２の光学レンズ２０４Ｂとを組み合わせることにより形成される。第２の光学レンズ２０４Ａと第２の光学レンズ２０４Ｂとの間にも隙間が存在している。
【００２５】
ケーシング１０１内における画像センサーは、少なくとも第１のレンズ２０３と第２のレンズ２０４を覆い、レンズモジュール２００がケーシング１０１に実装されてから、第１の通光孔１０２の幾何学的中心は第１の光軸Ａ１に位置すべきであり、第２の通光孔１０３の幾何学的中心は第２の光軸Ａ２に位置すべきである。
【００２６】
なお、第１のガラスレンズ２０１に第１の光学レンズ２０３Ａが形成され、第２のガラスレンズ２０２にも第１の光学レンズ２０３Ｂが形成されているが、両者は異なる光学特性を有し、その各自の第１の光学面と第２の光学面は、光学特性及び形状も完全に同じではない。同様に、第１のガラスレンズ２０１に第２の光学レンズ２０４Ａが形成され、第２のガラスレンズ２０２上も第２の光学レンズ２０４Ｂが形成されているが、両者は異なる光学特性を有し、その各自の第３の光学面と第４の光学面は、光学特性及び形状も完全に同じではない。具体的には、レンズモジュールの設計要求に応じて確定される。
【００２７】
なお、さらに高い光線透過率及び優れた色収差消しのパフォーマンスを得るように、第１のガラスレンズ２０１及び第２のガラスレンズ２０２の表面には、更に、反射を低減し、霧を防止する塗層、即ち、反射低減霧防止塗層（ＡＲ塗層）及び/又は赤外カット膜（ＩＲ膜）を塗布することができる。ＡＲ塗層及びＩＲ膜は、少なくとも第１のレンズ２０３及び第２のレンズ２０４を覆う必要がある。
【００２８】
以上、本発明に係るアレイ式レンズモジュール１００の構成について説明したが、その原理について以下のように説明する。
【００２９】
画像センサーは、通常、一つの感光領域を有する。第１のレンズ２０３は、第１の結像領域を有し、第２のレンズ２０４は第２の結像領域を有する。被写体が反射した光線が第１のレンズ２０３及び第２のレンズ２０４を透過した後、画像センサーにおける、対応する領域に画像が形成される。本発明の好ましい実施例においては、感光領域は矩形であり、第１の結像領域及び第２の結像領域は円形である。画像センサーの使用率を最大化するために、第１の結像領域と第２の結像領域はできるだけ感光領域を完全に覆う必要がある。画像プロセッサーは、一定のアスペクト比でそれぞれ第１の結像領域及び第２の結像領域において、画像をキャプチャすることにより、第１の画像領域及び第２の画像領域を出力する。第１の画像領域における画像及び第２の画像領域における画像は視差が存在するため、被写界深度を有する画像を合成することができ、これにより、レンズモジュールの３Ｄ撮影効果を実現することができる。画像プロセッサーが画像領域をキャプチャするアスペクト比は４：３、１６:９などであってもよい。画像センサーの画素サイズ及び画像プロセッサーがキャプチャするアスペクト比を選択することにより、高解像度を有する画像を得ることができる。
【００３０】
図５は本発明に係るアレイ式レンズモジュール１００の３Ｄ結像の原理図である。Ｃ１及びＣ２はそれぞれ第１のレンズ２０３及び第２のレンズ２０４を指す。Ｐは被写体であり、Ｄは被写界深度であり、ｆは焦点距離であり、ｂは第１のレンズ２０３と第２のレンズ２０４との間の距離であり、Ｖ１は被写体のある一つの点の、第１のレンズ２０３における結像位置を指し、Ｖ２は被写体の同一の点の、第２のレンズ２０４における結像位置を指し、両者の差であるＶ１-Ｖ２ は視角差と称する。
Ｄ／(Ｄ-ｆ)=ｂ／(ｂ-(Ｖ１-Ｖ２))であるため、
Ｄ=ｂｆ／(Ｖ１-Ｖ２) となる。
上記の式に基づき、当該アレイ式レンズモジュール１００の被写界深度Ｄを算出することができる。
【００３１】
上記の記述は、本発明の一つの好ましい実施例に過ぎない。他の実施可能な実施例においては、ガラスレンズは、三枚、四枚、ひいてはそれ以上の枚数であってもよい。その動作原理及び構成は、二枚のガラスレンズが用いられたレンズモジュールと類似し、ここで繰り返し述べない。
【００３２】
なお、第１の画像領域（第１のレンズ）と第２の画像領域（第２のレンズ）の、画像センサーにおける相対的な位置関係を変更することにより、異なる程度の被写界深度を得ることができる。
【００３３】
図６に示すように、Ａは画像センサーの感光領域を示し、平行に対向し設けられた第１の側辺Ａ１と、二つの第１の側辺Ａ１に接続された第２の側辺Ａ２を有する。Ｂ１は画像プロセッサーがキャプチャする第１の画像領域を示し、Ｂ２は画像プロセッサーがキャプチャする第２の画像領域を示し、両者は矩形をなしている。且つ、両者の幾何学的中心の連結線は、第１の側辺Ａ１に平行する。即ち、第１の画像領域Ｂ１と第２の画像領域Ｂ２は水平位置にある。このとき、第１のレンズ２０３及び第２のレンズ２０４は、水平方向において、視差を有する。
【００３４】
図８に示すように、Ａは画像センサーの感光領域を示し、平行に対向し設けられた第１の側辺Ａ１と、二つの第１の側辺Ａ１に接続された第２の側辺Ａ２とを有する。Ｂ１は画像プロセッサーがキャプチャする第１の画像領域を示し、Ｂ２は画像プロセッサーがキャプチャする第２の画像領域を示し、両者は矩形をなしている。且つ、両者の幾何学的中心の連結線は、第２の側辺Ａ２に平行する。即ち、第１の画像領域Ｂ１と第２の画像領域Ｂ２は垂直位置にあり、このとき、第１のレンズ２０３及び第２のレンズ２０４は、垂直方向において、視差を有する。
【００３５】
図７に示すように、Ａは画像センサーの感光領域を示す。Ｂ１は画像プロセッサーがキャプチャする第１の画像領域を示し、Ｂ２は画像プロセッサーがキャプチャする第２の画像領域を示し、両者は矩形をなしている。且つ、両者はそれぞれ感光領域Ａの対角位置に位置する。このとき、第１のレンズ２０３及び第２のレンズ２０４は、垂直方向及び水平位置においていずれも視差が存在する。
【００３６】
図９に示すように、本発明に係るアレイ式レンズモジュールは、レンズの中心点を容易に特定し、組立が容易であるメリットを有する。組み立てのとき、理想的な被写界深度を有する画像を得るように、アレイ式レンズモジュールにおけるレンズの中心点は、画像センサーに設定された中心点の座標と一致することが必要である。図９における断面線で充填された矩形は、画像センサーの感光領域を示す。実線で示された二つの円形は、それぞれ第１のレンズ２０３と第２のレンズ２０４の結像領域を示す。二つの結像領域は、一部が感光領域内に入るため、感光領域内に直線を引くと、結像領域との、感光領域内に入る二つの交点が存在する。図９において、第１のレンズ２０３の結像領域は、直線Ａ１と、二つの交点があり、直線Ｂ１と、二つの交点がある。第２のレンズ２０４の結像領域は、直線Ａ２と、二つの交点があり、直線Ｂ２と、二つの交点がある。
【００３７】
Ａ１と結像領域との二つの交点を接続し、二つの交点の連結線の中点を通って垂線を引き、Ｂ１と結像領域との二つの交点を接続し、当該連結線の中点を通って垂線を引くと、二つの垂線の交点は、第１のレンズ２０３の結像領域の中心点となり、当該中心点の座標は（Ｘ１，Ｙ１）である。同様に、第２のレンズ２０４の結像領域の中心点（Ｘ２，Ｙ２）を得ることができる。第１のレンズ２０３及び第２のレンズ２０４の中心点の座標は、画像センサーの記憶領域内に記録し、二つの中心点に基づき、それぞれ特定のサイズの画像をキャプチャすることにより、被写界深度の要求を満たす。また、画像センサーは、計算することにより、中心点の座標を取得し、当該座標に基づき画像をキャプチャするため、レンズの実装に対する要求は低い。即ち、画像センサーは、計算することにより、二つのレンズの相対位置関係に適合することができるため、組み立てに対する要求は大幅に低下する。
【００３８】
なお、さらに画像センサーの画素サイズを変更することにより、より立体感を有する画像を得ることができる。例えば、画像センサーの画素サイズを１．７５μｍから１．１２μｍに変更する。第１の画像領域または第２の画像領域の、画像センサーにおける対応する領域をモノクロ感光領域に変更すると、アレイ式レンズモジュール１００の感光度を向上させることができる。この場合、非モノクロ感光領域が対応するレンズと画像センサーとの間に、赤外フィルタを配置する、又はレンズの表面に赤外カット膜（ＩＲ膜）を塗布することにより、一つのカラーの撮影機能、一つのＩＲの撮影機能を実現することができる。
【００３９】
図１０は、上述したアレイ式レンズモジュール１００の製造方法を提供する。それは、主に以下のステップを含む。
【００４０】
ステップＳ１において、少なくとも二枚のガラス基板が提供され、それぞれは第１のガラス基板１０４と第２のガラス基板１０５である。
【００４１】
ステップＳ２において、ウェハプレス金型が提供される。本実施例においては、二枚のガラス基板があり、二枚のガラス基板は光学特性が異なるため、二つのウェハプレス金型は二つが必要であり、それぞれを第１のウェハプレス金型３００、第２のウェハプレス金型４００とする。第１のウェハプレス金型３００は、第１の上型３０１と第１の下型３０２とを含む。第１の上型３０１は、第１の光学面及び第３の光学面アレイを有する。第１の下型３０２は、第２の光学面及び第４の光学面アレイを有する。第２のウェハプレス金型４００は、第２の上型４０１と第２の下型４０２とを含む。第２の上型４０１は、第１の光学面及び第３の光学面のアレイを含む。第２の下型４０２は、第２の光学面及び第４の光学面のアレイを含む。第２の下型４０２における光学面のアレイは、第１の下型３０２における光学面のアレイと異なり、第２の上型４０１における光学面のアレイも、第１の上型３０１における光学面のアレイと異なる。
【００４２】
第１のガラス基板１０４を第１の上型３０１と第１の下型３０２との間に配置し、加温加圧することにより、第１の光学レンズと第２の光学レンズのアレイをプレスする。第２のガラス基板１０５を第２の上型４０１と第２の下型４０２との間に配置し、加温加圧することにより、第１の光学レンズ及び第２の光学レンズのアレイをプレスする。
【００４３】
ステップＳ３において、第１のガラス基板１０４と第２のガラス基板１０５を積層する。
【００４４】
ステップＳ４において、図１０に示されたステップＳ３の点線に基づき、積層されたガラス基板をカットすることにより、ガラスレンズを積層することにより形成されたレンズモジュールを分離させ、形成する。
【００４５】
ステップＳ５において、画像センサーと、第１の通光孔及び第２の通光孔を有するケーシングが提供され、ステップＳ４において分離されたレンズモジュールと画像センサーを組み立て、ケーシング内に実装する。
【００４６】
なお、光線透過率を向上させ、色収差消しのパフォーマンスを改善するように、第１のガラス基板１０４及び第２のガラス基板１０５を積層する前、上記の方法は、ガラス基板に、反射を低減し、霧を防止する塗層、即ち、反射低減霧防止塗層及び／又は赤外カット膜を塗布するステップを更に含むことができる。
【００４７】
レンズモジュールは、積層されたガラス基板からカットすることにより、得るものであるため、第１のレンズと第２のレンズとの間の距離は、製造過程で既に確定されており、組み立てるとき、第１のレンズ及び第２のレンズの精度を影響することがないため、高い組立の精度及び解像度を有する。なお、レンズモジュールは全ガラス構成であり、高い光線透過率及び優れた色収差消しのパフォーマンスを有する。且つ、製造はフロー化されているため、加工及び組立のコストは低い。
【００４８】
上述したのは、本発明の実施形態に過ぎない。当然ながら、当業者にとっては、本発明の技術方案の主旨及び原則から逸脱させない限り、改善することもできるが、これらは全て本発明の保護範囲に含まれる。
【図１】
0006419110.tif 000002
【図２】
0006419110.tif 000003
【図３】
0006419110.tif 000004
【図４】
0006419110.tif 000005
【図５】
0006419110.tif 000006
【図６】
0006419110.tif 000007
【図７】
0006419110.tif 000008
【図８】
0006419110.tif 000009
【図９】
0006419110.tif 000010
【図１０】
0006419110.tif 000011